(57)【要約】【課題】通話相手の音声に基づいて通話相手を特定する電子機器を提供する。【解決手段】電子機器は、表示部２１と、通信部４１と、通信部４１を介して通話相手の音声情報を取得する音声情報取得部５０と、音声情報取得部５０により取得された音声情報を記憶するメモリ４４と、メモリ４４に記憶された第１音声情報と、通信部４１により通信をしている場合に音声情報取得部５０により取得される第２音声情報とを比較して、第１音声情報と第２音声情報とから、通話相手を判定する音声情報判定部４５ｃと、音声情報判定部４５ｃにより第１音声情報と第２音声情報とから一致する通話相手であると判定された場合に、所定の第１の報知を行わせ、一致する通話相手がいないと判定された場合に、所定の第１の報知とは異なる所定の第２の報知を報知部に行わせる表示制御部４５ｄとを備える。【選択図】図３
2011049910.tif 000002
【特許請求の範囲】
【請求項１】
報知部と、
通信部と、
前記通信部を介して通話相手の音声情報を取得する音声情報取得部と、
前記音声情報取得部により取得された音声情報を記憶する記憶部と、
前記記憶部に記憶された第１音声情報と、前記通信部により通信をしている場合に前記音声情報取得部により取得される第２音声情報とを比較して、前記第１音声情報と前記第２音声情報とから、通話相手を判定する音声情報判定部と、
前記音声情報判定部により前記第１音声情報と前記第２音声情報とから一致する通話相手であると判定された場合に、所定の第１の報知を行わせ、一致する通話相手がいないと判定された場合に、前記所定の第１の報知とは異なる所定の第２の報知を前記報知部に行わせる報知制御部と、を備える電子機器。
【請求項２】
前記音声情報判定部により前記第１音声情報と前記第２音声情報とから、一致する通話者がいると判定された場合には、その通話者に関する情報を報知し、登録されていない者との通話であれば、その旨を報知する請求項１に記載の電子機器。
【請求項３】
前記音声情報判定部により前記第１音声情報と前記第２音声情報とから、一致する通話者がいないと判定された場合には、通話後に、通話者に関する情報を前記第２音声情報とともに記憶可能な請求項１又は請求項２に記載の電子機器。
【請求項４】
前記記憶部は、所定の単語を記憶しており、
前記通信部により通信を行っている場合に前記音声情報取得部により取得された音声情報から音声を認識する音声認識部と、
前記音声認識部により音声認識された音声に対応する単語と、前記記憶部に記憶された前記所定の単語とが一致するか否かを判定する単語判定部と、
前記単語判定部により、前記音声に対応する単語と前記所定の単語とが一致すると判定された場合に、所定の通報を行う通報部と、をさらに備える請求項１に記載の電子機器。
【請求項５】
筐体と、
前記筐体に加わる圧力を検出する加圧力センサと、
前記加圧力センサにより検出した圧力に基づいて前記筐体に加わる圧力の変化を検出し、圧力の変化が検出された場合に前記通信部を介して圧力の変化の検出結果を出力する圧力変化通知部と、をさらに備える請求項１又は請求項２に記載の電子機器。
【発明の詳細な説明】
【技術分野】
【０００１】
本発明は、外部端末との間で通話が可能な電子機器に関する。
【背景技術】
【０００２】
近年、親族や警察官、弁護士等に成りすまし、電話機を利用して、借金の返済、事件や交通事故の示談金、弁済費等の様々な名目で不特定者に対し現金を要求し、だまし取る詐欺事件、いわゆる振り込め詐欺が多発している。このため、特許文献１に記載された発明（文献１発明）は、通話相手の音声に所定のキーワードが含まれている場合に、振り込め詐欺の可能性があるとして、特定の第三者に対して、通話相手が危険人物であるか否かを判断させるためのメールを送信する。また、文献１発明は、通話中の相手方の音声に所定のキーワードが含まれている場合に、通話相手の端末の位置情報を取得して、取得した位置情報を表示部に表示させる。
【先行技術文献】
【特許文献】
【０００３】
【特許文献１】特開２００８−６１０９０号公報
【発明の概要】
【発明が解決しようとする課題】
【０００４】
しかしながら、文献１発明は、通話相手の音声に所定のキーワードが含まれているか否かを判断するものであるから、通話相手が誰であるのか特定するものではない。したがって、文献１発明では、通話相手が親族や友人等の振り込め詐欺を行うことがない人物であっても、通話相手が意図せず所定のキーワードを喋った場合には、特定の第三者に対してメールを送信したり、通話相手の端末の位置情報を取得したりするという問題を生じる。
【０００５】
本発明は、通話相手の音声に基づいて通話相手を特定する電子機器を提供することを目的とする。
【課題を解決するための手段】
【０００６】
本発明は、報知部と、通信部と、前記通信部を介して通話相手の音声情報を取得する音声情報取得部と、前記音声情報取得部により取得された音声情報を記憶する記憶部と、前記記憶部に記憶された第１音声情報と、前記通信部により通信をしている場合に前記音声情報取得部により取得される第２音声情報とを比較して、前記第１音声情報と前記第２音声情報とから、通話相手を判定する音声情報判定部と、前記音声情報判定部により前記第１音声情報と前記第２音声情報とから一致する通話相手であると判定された場合に、所定の第１の報知を行わせ、一致する通話相手がいないと判定された場合に、前記所定の第１の報知とは異なる所定の第２の報知を前記報知部に行わせる報知制御部と、を備える電子機器に関する。
【０００７】
また、前記電子機器は、前記音声情報判定部により前記第１音声情報と前記第２音声情報とから、一致する通話者がいると判定された場合には、その通話者に関する情報を報知し、登録されていない者との通話であれば、その旨を報知することが好ましい。
【０００８】
また、前記電子機器は、前記音声情報判定部により前記第１音声情報と前記第２音声情報とから、一致する通話者がいないと判定された場合には、通話後に、通話者に関する情報を前記第２音声情報とともに記憶可能なことが好ましい。
【０００９】
また、前記記憶部は、所定の単語を記憶しており、前記通信部により通信を行っている場合に前記音声情報取得部により取得された音声情報から音声を認識する音声認識部と、前記音声認識部により音声認識された音声に対応する単語と、前記記憶部に記憶された前記所定の単語とが一致するか否かを判定する単語判定部と、前記単語判定部により、前記音声に対応する単語と前記所定の単語とが一致すると判定された場合に、所定の通報を行う通報部と、をさらに備えることが好ましい。
【００１０】
また、前記電子機器は、筐体と、前記筐体に加わる圧力を検出する加圧力センサと、前記加圧力センサにより検出した圧力に基づいて前記筐体に加わる圧力の変化を検出し、圧力の変化が検出された場合に前記通信部を介して圧力の変化の検出結果を出力する圧力変化通知部と、をさらに備えることが好ましい。
【発明の効果】
【００１１】
本発明によれば、通話相手の音声に基づいて通話相手を特定することができる。
【図面の簡単な説明】
【００１２】
【図１】本発明の第１の実施形態に係る携帯電話機の外観斜視図である。
【図２】携帯電話機の機能構成を示すブロック図である。
【図３】携帯電話機が機能を発揮するための構成を示す機能ブロック図である。
【図４】第１の実施形態の携帯電話機の動作を示すフローチャートである。
【図５】第１の実施形態の携帯電話機の動作を説明する図である。
【図６】携帯電話機が機能を発揮するための構成を示す機能ブロック図である。
【図７】第２の実施形態の携帯電話機の動作を示す第１のフローチャートである。
【図８】第２の実施形態の携帯電話機の動作を示す第２のフローチャートである。
【図９】第２の実施形態の携帯電話機の動作を説明する図である。
【発明を実施するための形態】
【００１３】
＜第１の実施形態＞
以下、本発明を実施するための好ましい実施形態について、図面を参照しながら説明する。まず、本発明の第１の実施形態に係る電子機器としての携帯電話機１の基本構造について、図１を参照しながら説明する。
図１は、本発明の第１の実施形態に係る携帯電話機１の外観斜視図である。
【００１４】
携帯電話機１は、筐体としての操作部側筐体２と、表示部側筐体３と、操作部側筐体２と表示部側筐体３とを連結するヒンジ機構４と、を備える。
操作部側筐体２は、前面１０に、操作部１１及びマイク１２を備えて構成される。操作部側筐体２の前面１０は、携帯電話機１を折り畳んだ状態で表示部側筐体３と向かい合う面である。
操作部１１は、各種設定機能や辞書機能やメール機能等の各種機能を作動させるための機能設定操作キー１３と、数字や文字を入力するための入力操作キー１４と、各種操作における決定やスクロール等を行う決定操作キー１５と、から構成されている。
マイク１２は、携帯電話機１の使用者が通話時に発した音声を入力するために用いられる。
また、操作部側筐体２の後面（図示せず）には、撮像部としてのカメラ４８（図２参照）が設けられている。カメラ４８は、外部から画像情報を取得するために用いられる。
【００１５】
表示部側筐体３は、前面２０に、表示部２１とレシーバ２２と、を備えて構成される。表示部側筐体３の前面２０は、携帯電話機１を折り畳んだ状態で操作部側筐体２と向かい合う面である。
表示部２１は、通話の相手側の電話番号やメールアドレス、及びメールの内容等の各種情報（文字情報や画像情報）を表示する。レシーバ２２は、通話の相手側の音声を出力する。
また、表示部側筐体３の側面には、スピーカ２４（図２参照）が設けられている。スピーカ２４は、携帯電話機１への着信を知らせる音声等を出力する。
【００１６】
ヒンジ機構４は、操作部側筐体２と表示部側筐体３とが相対的に動くようにこれらを連結している。携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００１７】
なお、図１は、いわゆる折り畳み式の携帯電話機１を挙げているが、携帯電話機としては、特にこれに限らない。すなわち、操作部側筐体と表示部側筐体とを重ね合わせた状態から一方の筐体を一方向にスライドさせるようにしたスライド式や、重ね合せ方向に沿う軸線を中心に一方の筐体を回転させるようにした回転式や、操作部側筐体と表示部側筐体とを２軸ヒンジを介して連結したもの、更には、操作部側筐体と表示部側筐体とが一つの筐体に配置されたもの（いわゆる、ストレートタイプ）であってもよい。
【００１８】
次に、図２を参照しながら、携帯電話機１の機能構成について説明する。
図２は、携帯電話機１の機能構成を示すブロック図である。携帯電話機１は、操作部１１と、マイク１２と、通信部４１と、画像処理部４２と、音声処理部４３と、記憶部としてのメモリ４４と、制御部４５と、振動発生部としてのバイブレータ４７と、カメラ４８と、を操作部側筐体２に備え、表示部２１と、レシーバ２２と、スピーカ２４と、ドライバＩＣ２３と、発光部としてのＬＥＤ２５と、を表示部側筐体３に備えている。
【００１９】
通信部４１は、メインアンテナ４１１とＲＦ回路部４１２とを備えて構成され、所定の通信先と通信を行う。通信部４１が通信を行う通信先としては、携帯電話機１と電話やメールの送受信を行う外部の端末装置や、携帯電話機１がインターネットの接続を行う外部のｗｅｂサーバ等の外部装置が挙げられる。
【００２０】
メインアンテナ４１１は、所定の使用周波数帯（例えば、８００ＭＨｚ）で外部装置と通信を行う。
ＲＦ回路部４１２は、メインアンテナ４１１によって受信した信号を復調処理し、処理後の信号を制御部４５に供給する。また、ＲＦ回路部４１２は、制御部４５から供給された信号を変調処理し、メインアンテナ４１１を介して外部装置（基地局）に送信する。
【００２１】
画像処理部４２は、制御部４５の制御に従って、所定の画像処理を行い、処理後の画像データをドライバＩＣ２３に出力する。ドライバＩＣ２３は、画像処理部４２から供給された画像データをフレームメモリ（図示せず）に蓄え、所定のタイミングで表示部２１に出力する。
【００２２】
音声処理部４３は、制御部４５の制御に従って、ＲＦ回路部４１２から供給された信号に対して所定の音声処理を行い、処理後の信号をレシーバ２２やスピーカ２４に出力する。レシーバ２２及びスピーカ２４は、音声処理部４３から供給された信号を外部に出力する。
【００２３】
また、音声処理部４３は、制御部４５の制御に従って、マイク１２から入力された信号を処理し、処理後の信号をＲＦ回路部４１２に出力する。ＲＦ回路部４１２は、音声処理部４３から供給された信号に所定の処理を行い、処理後の信号をメインアンテナ４１１に出力する。
【００２４】
メモリ４４は、例えば、ワーキングメモリを含み、制御部４５による演算処理に利用される。また、メモリ４４には、携帯電話機１上で動作する様々なアプリケーションが利用するデータやテーブル等が格納されている。
なお、メモリ４４は、着脱可能な外部メモリであってもよい。
【００２５】
制御部４５は、携帯電話機１の全体を制御しており、通信部４１、画像処理部４２、表示部２１、音声処理部４３、バイブレータ４７、ＬＥＤ２５に対して所定の制御を行う。制御部４５の具体的な構成については後述する。
【００２６】
バイブレータ４７は、操作部側筐体２の内部に取り付けられ、制御部４５の制御に従って振動を発生させる。このバイブレータ４７が発生させる振動が操作部側筐体２に伝達されることにより、携帯電話機１は振動する。
【００２７】
このように構成される携帯電話機１は、通信部４１を介して取得される音声情報（声紋情報）をアドレス帳に登録する機能を有する。
【００２８】
以下に、携帯電話機１に係る当該機能を発揮するための構成と動作について詳述する。
先ず、本実施形態に係る携帯電話機１の機能を発揮するための構成について、図３を参照しながら説明する。図３は、携帯電話機１が上記機能を発揮するための構成を示す機能ブロック図である。
【００２９】
携帯電話機１は、通信部４１と、音声情報取得部５０と、メモリ４４とを備える。
音声情報取得部５０は、通信部４１を介して通話相手の音声情報を取得する。メモリ４４は、音声情報取得部５０により取得された音声情報（声紋情報）を記憶する。一例として、メモリ４４は、音声情報取得部５０により取得された音声情報（声紋情報）を登録可能なアドレス帳を記憶する。なお、アドレス帳には、音声情報の他に、通話相手（外部端末）の電話番号等の属性情報が登録可能である。
【００３０】
具体的には、携帯電話機１は、音声処理部４５ａと、メモリ制御部４５ｂとを制御部４５に備える。
音声処理部４５ａは、音声情報取得部５０により取得された音声に対して所定の処理を行うことにより、声紋情報（時間軸に対応する周波数毎のスペクトル強度を示す情報）を取得する。例えば、音声処理部４５ａは、取得された音声情報に対して、高速フーリエ変換により周波数分析を逐次行って、周波数値を累積加算する。そして、音声処理部４５ａは、このような処理をある区間まで続け、最後にその区間までの累積回数で周波数値を除算する。これにより、音声処理部４５ａは、声紋情報を取得することができる。
メモリ制御部４５ｂは、音声処理部４５ａにより取得された声紋情報をアドレス帳に登録する。
【００３１】
したがって、携帯電話機１は、通話相手を特定する属性情報として声紋情報をアドレス帳に登録することができる。また、携帯電話機１は、ユーザが通話相手と通話することによって、音声情報取得部５０により通話相手の音声情報を取得すると、メモリ４４に記憶された声紋情報に基づいて、通話相手を特定することができる。
【００３２】
ここで、声紋情報とは、人間の声を分析し、特徴を抽出したパターン化した情報のことである。ここで、人間の声は、様々な周波数の音波の集まりで構成されており、時間、周波数、強度をグラフ化することができる。
【００３３】
また、携帯電話機１は、報知部としての表示部２１と、音声情報判定部としての声紋情報判定部４５ｃと、報知制御部としての表示制御部４５ｄとをさらに備える。
声紋情報判定部４５ｃは、メモリ４４に記憶された第１音声情報と、通信部４１により通信をしている場合に音声情報取得部５０により取得される第２音声情報とを比較して、第１音声情報と第２音声情報とから、通話相手を判定する。例えば、声紋情報判定部４５ｃは、アドレス帳に登録された第１声紋情報と、通信部４１により通信をしている場合に音声情報取得部５０により取得された音声情報に基づく第２声紋情報とを比較して、第１声紋情報と第２声紋情報とが一致しているか否か判定する。
【００３４】
表示制御部４５ｄは、声紋情報判定部４５ｃにより第１音声情報と第２音声情報とから一致する通話相手であると判定された場合に、所定の第１の報知を行わせ、一致する通話相手がいないと判定された場合に、所定の第１の報知とは異なる所定の第２の報知を表示部２１に行わせる。例えば、表示制御部４５ｄは、声紋情報判定部４５ｃにより第１声紋情報と第２声紋情報とが一致していると判定された場合に、所定の第１の表示を表示部２１に行わせ、声紋情報判定部４５ｃにより第１声紋情報と第２声紋情報とが一致していないと判定された場合に、所定の第１の表示とは異なる所定の第２の表示を表示部２１に行わせる。第１の表示の一例としては、第１声紋情報に対応させてアドレス帳に登録された氏名情報等の表示である。第２の表示の一例としては、第２声紋情報に対応する第１声紋情報がアドレス帳に登録されていない旨の表示である。
【００３５】
したがって、携帯電話機１は、声紋情報判定部４５ｃにより第１声紋情報と第２声紋情報とが一致するか否か判定し、表示制御部４５ｄにより表示部２１に判定結果を表示させるので、通話相手を特定し、その特定結果をユーザに提示することができる。
【００３６】
また、声紋情報判定部４５ｃにより第１音声情報と第２音声情報とから、一致する通話者がいると判定された場合には、その通話者に関する情報を報知し、登録されていない者との通話であれば、その旨を報知する。例えば、声紋情報判定部４５ｃにより第１声紋情報と第２声紋情報とが一致していると判定された場合、制御部４５は、第１音声情報と関連付けてアドレス帳（メモリ４４）に登録されている氏名情報等を読み出して表示部２１に表示させる。また、声紋情報判定部４５ｃにより第１声紋情報と第２声紋情報とが一致していないと判定された場合、制御部４５は、メモリ４４に予め記憶されている、第２声紋情報に対応する第１声紋情報がアドレス帳に登録されていない旨の情報を読み出して表示部２１に表示させる。
【００３７】
また、声紋情報判定部により第１音声情報と第２音声情報とから、一致する通話者がいないと判定された場合には、通話後に、通話者に関する情報を第２音声情報とともに記憶可能である。例えば、声紋情報判定部４５ｃにより第１声紋情報と第２声紋情報とが一致していないと判定された場合、制御部４５は、通話終了後に、第２声紋情報をメモリ４４（アドレス帳）に記憶することが可能である。この場合、制御部４５は、通話者に関する情報（ユーザによって入力された通話者の氏名や住所等、又は通信部４１を介して取得された通話者が使用する端末の電話番号等）を、第２声紋情報と共にメモリ４４に記憶することが可能である。
【００３８】
また、メモリ４４は、所定の単語を記憶している。また、携帯電話機１は、音声認識部４５ｅと、単語判定部４５ｆと、通報部４５ｇとをさらに備える。
音声認識部４５ｅは、通信部４１により通信を行っている場合に音声情報取得部５０により取得された音声を認識する。すなわち、音声認識部４５ｅは、ユーザが通話相手と通話を行っている場合に、通話相手が発した音声に対して所定の音声認識処理を行い、音声情報に対応する文字情報（単語）を取得する。
【００３９】
単語判定部４５ｆは、音声認識部４５ｅにより音声認識された音声に対応する単語と、メモリ４４に記憶された所定の単語とが一致するか否かを判定する。すなわち、単語判定部４５ｆは、音声認識部４５ｅにより取得された文字情報を受け入れて、文字情報に含まれる単語と、所定の単語とが一致するか否か判定する。所定の単語としては、例えば、「振込み」や「お金」等の、振り込め詐欺等によく用いられる単語である。これにより、単語判定部４５ｆは、音声に対応する単語と所定の単語とが一致する場合に、振り込め詐欺の可能性があると判断することになる。一方、単語判定部４５ｆは、音声に対応する単語と所定の単語とが一致しない場合に、振り込め詐欺の可能性はないと判断することになる。
【００４０】
通報部４５ｇは、単語判定部４５ｆにより、音声に対応する単語と所定の単語とが一致すると判定された場合に、所定の通報を行う。通報部４５ｇは、例えば、予め連絡先が登録されている、親族等の登録者に対して通報を行えばよい。所定の通報は、振り込め詐欺を行う可能性がある通話相手と通話していたことを登録者に対して知らせるものであればよい。したがって、所定の通報は、例えば、「振り込め詐欺を行う可能性がある人物と通話しています」というような予め記憶された内容であってもよい。また、所定の通報は、例えば、通話相手との会話の内容をメモリ４４に保存しておき、その後、その内容を通報するものであってもよい。そして、通報部４５ｇは、上記のような内容をメールで自動的に送信してもよく、又は登録者に対して電話をかけた後、上記のような内容の音声を自動的に出力してもよい。
【００４１】
したがって、携帯電話機１は、登録者に対して所定の通報を行うので、登録者に対して通話相手が振り込め詐欺を行う可能性があるか否か判断させることができる。
【００４２】
また、携帯電話機１は、筐体（操作部側筐体２、表示部側筐体３及びヒンジ機構４）と、加圧力センサ５１と、圧力変化通知部４５ｊとをさらに備える。
加圧力センサ５１は、筐体に加わる圧力を検出する。加圧力センサ５１は、圧力の検出結果を圧力変化通知部４５ｊに出力する。例えば、ユーザが他のユーザに携帯電話機１を渡した場合、筐体に加わる圧力が変化する。加圧力センサ５１は、このような圧力変化を検知して、検知結果を圧力変化部に通知する。
【００４３】
圧力変化通知部４５ｊは、加圧力センサ５１により検出した圧力に基づいて筐体に加わる圧力の変化を検出し、圧力の変化が検出された場合に通信部４１を介して圧力の変化の検出結果を出力する。すなわち、携帯電話機１は、圧力変化通知部４５ｊにより圧力変化の検出結果を、通話相手の携帯電話機１に出力する。通話相手の携帯電話機１は、圧力変化の検出結果が入力されると、例えば、ＬＥＤ２５を発光させる、バイブレータ４７を振動させる、スピーカ２４又はレシーバ２２から音を出力させる等の所定の動作を行い、ユーザに対して注意喚起を行う。
【００４４】
したがって、発話者と受話者とがそれぞれ本実施形態の携帯電話機１を利用して通話を行っている場合において、発話者が他の発話者に携帯電話機１を渡すと、受話者側の携帯電話機１に発話者が代わった旨の情報が出力されるため、受話者は、発話者が変わったことがわかる。
【００４５】
また、携帯電話機１は、自動応答処理部４５ｈをさらに備える。
自動応答処理部４５ｈは、通話相手から電話がかかってきた場合において、通話相手の発信相手情報（例えば、通話相手の電話番号）がアドレス帳に登録されていなかった場合に、通話相手の第２声紋情報を取得するために、自動応答を行う。
【００４６】
自動応答を行う場合、メモリ４４には、所定の音声情報が記憶されている。なお、所定の音声情報は、例えば、「あなたの名前を仰ってください」というような、通話相手に発声させるような内容の情報である。そして、自動応答処理部４５ｈは、所定の音声情報をメモリ４４から読み出し、通信部４１を介して所定の音声情報を外部端末に出力させる。
【００４７】
所定の音声情報に応じて通話相手が発話を行う場合、声紋情報判定部４５ｃは、通話相手の第２声紋情報とアドレス帳に登録された第１声紋情報とが一致するか否か判定を行う。さらに、表示制御部４５ｄは、声紋情報判定部４５ｃによる判定結果に基づいて所定の表示を表示部２１に行わせる。
【００４８】
したがって、携帯電話機１は、通話相手の発信相手情報がアドレス帳に登録されていない場合、自動応答処理部４５ｈにより通話相手に対して発話を行わせて、通話相手の第２声紋情報を取得することができる。
【００４９】
また、携帯電話機１は、動作制御部４５ｉをさらに備える。
動作制御部４５ｉは、単語判定部４５ｆにより、音声認識された単語と所定の単語とが一致すると判定された場合、ＬＥＤ２５を発光させる、バイブレータ４７を振動させる、スピーカ２４又はレシーバ２２から音を出力させる等の制御を行う。
したがって、携帯電話機１は、通話相手が振り込め詐欺を行う可能性があれば、ユーザに対して注意を促すことができる。
【００５０】
なお、制御部４５は、メモリ４４に記憶された所定の警告音声情報を、通信部４１を介して通話相手となる外部端末に出力させてもよい。警告音声情報は、例えば、パトロールカーのサイレン音であればよい。これにより、携帯電話機１は、通話相手に警告音声情報を聞かせることにより、通話相手が振り込め詐欺を行っている場合には警告を発することができる。
【００５１】
次に、本実施形態の携帯電話機１の動作について、図４及び図５を参照しながら説明する。
図４は、第１の実施形態の携帯電話機１の動作を示すフローチャートである。図５は、第１の実施形態の携帯電話機１の動作を説明する図である。
【００５２】
まず、ステップＳ１０１において、制御部４５は、外部端末からの着信を検知する。
ステップＳ１０２において、制御部４５は、外部端末の電話番号情報等が含まれる発信相手情報を検出する。
【００５３】
ステップＳ１０３において、メモリ制御部４５ｂは、メモリ４４に記憶されているアドレス帳に、発信相手情報に対応する属性情報が登録されているか否か判断する。発信相手情報に対応する属性情報がアドレス帳に登録されていない場合（Ｎｏ）には、ステップＳ１０４に進む。発信相手情報に対応する属性情報がアドレス帳に登録されている場合（Ｙｅｓ）には、ステップＳ１０８に進む。
【００５４】
ステップＳ１０４において、自動応答処理部４５ｈは、メモリ４４に記憶されている所定の音声情報を外部端末に出力させる。外部端末では、携帯電話機１から所定の音声情報が入力されると、所定の音声情報をレシーバから出力させる。外部端末は、この外部端末を使用する通話相手が所定の音声情報に応じて発話をした場合、発話情報を携帯電話機１に出力する。
【００５５】
ステップＳ１０５において、音声処理部４５ａは、発話情報に基づいて第２声紋情報（音声波形）を取得する。
ステップＳ１０６において、声紋情報判定部４５ｃは、第２声紋情報（音声波形）に一致する第１声紋情報がアドレス帳に登録されているか確認するためにアドレス帳を検索する。
【００５６】
ステップＳ１０７において、音声情報判定部４５ｋは、第２声紋情報に一致する第１声紋情報がアドレス帳に登録されているか否か判定を行う。第２声紋情報に一致する第１声紋情報が登録されている場合（Ｙｅｓ）には、ステップＳ１０８に進む。第２声紋情報に一致する第１声紋情報が登録されていない場合（Ｎｏ）には、通話処理を終了する。
【００５７】
ステップＳ１０８において、制御部４５は、着信処理を行なう。
ステップＳ１０９において、音声処理部４５ａは、通話相手が発話したことに基づく発話情報に基づいて第２声紋情報（音声波形）を取得する（図５（ａ）参照）。
【００５８】
ステップＳ１１０において、音声情報判定部４５ｋは、第２声紋情報に一致する第１声紋情報がアドレス帳に登録されている否か判定を行う。第２声紋情報に一致する第１声紋情報が登録されている場合（Ｙｅｓ）には、ステップＳ１１１に進む。第２声紋情報に一致する第１声紋情報が登録されていない場合（Ｎｏ）には、ステップＳ１１２に進む。
なお、携帯電話機１は、ステップＳ１０４からステップＳ１０７の処理を行なった場合、ステップＳ１０９からステップＳ１１０の処理を行なわなくてもよい。
【００５９】
ステップＳ１１１において、表示制御部４５ｄは、アドレス帳に登録されている通話者情報を表示部２１に表示させる。すなわち、図５（ｂ）に示すように、表示制御部４５ｄは、携帯電話機１の所有者の氏名と、携帯電話機１を使用して通話を行なっているユーザの氏名とを表示させる。
【００６０】
次に、ステップＳ１１２において、表示制御部４５ｄは、通話者情報を表示部２１に表示させる。すなわち、図５（ｃ）に示すように、表示制御部４５ｄは、携帯電話機１の所有者の氏名と、通話相手についての注意情報とを表示部２１に表示させる。注意情報は、例えば、「通話者一致情報はりません。注意。」という情報である。
【００６１】
ステップＳ１１３において、音声認識部４５ｅは、通話相手が発した音声に対して所定の音声認識処理を行い、音声情報に対応する文字情報（単語）を取得する。
【００６２】
ステップＳ１１４において、単語判定部４５ｆは、メモリ４４に記憶された所定の単語（特定キーワード）に一致するものが音声情報に対応する単語の中から検出されたか否かを判断する。所定の単語に対応する単語が検出されなかった場合（Ｎｏ）には、ステップＳ１１５に進む。所定の単語に対応する単語が検出された場合（Ｙｅｓ）には、ステップＳ１１７に進む。
【００６３】
ステップＳ１１５において、制御部４５は、ユーザによって行なわれた終話操作を検知したか否か判断する。終話操作を検知しなかった場合（Ｎｏ）には、ステップＳ１０９に戻る。終話操作を検知した場合（Ｙｅｓ）には、ステップＳ１１６に進む。
ステップＳ１１６において、制御部４５は、終話処理を行なう。
【００６４】
次に、ステップＳ１１７において、表示制御部４５ｄは、振り込め詐欺の可能性があるとして、警告情報を表示部２１に表示させる。すなわち、図５（ｄ）に示すように、表示制御部４５ｄは、携帯電話機１の所有者の氏名と、振り込め詐欺についての警告情報とを表示部２１に表示させる。警告情報は、例えば、「振り込め詐欺の可能性大！登録先へ連絡します。」という情報である。
【００６５】
ステップＳ１１８において、通報部４５ｇは、予め登録されている登録先又は所定機関へ所定の通報を行なう。
【００６６】
なお、本実施形態では、通話相手の声紋情報をメモリ４４に記憶する場合について説明したが、本発明はこれに限定されることはない。すなわち、メモリ４４には、携帯電話機１を使用するユーザの声紋情報を記憶させてもよい。この場合、携帯電話機１は、種々の機能を利用又は設定するための暗証番号としてユーザの声紋情報を利用してもよい。一例としては、携帯電話機１は、オートロック又はマナーモードを遠隔から解除されるための暗証番号としてユーザの声紋情報を利用する。
【００６７】
＜第２の実施形態＞
第２の実施形態に係る携帯電話機１の基本構造及び機能構成は、第１の実施形態に係る携帯電話機１のものと同じであるので説明を省略する。
【００６８】
第２の実施形態に係る携帯電話機１は、口調情報に基づいて、音声情報取得部５０に取得される音声の速度を変更する機能を有する。
【００６９】
以下に、携帯電話機１に係る当該機能を発揮するための構成と動作について詳述する。
先ず、本実施形態に係る携帯電話機１の機能を発揮するための構成について、図６を参照しながら説明する。図６は、携帯電話機１が上記機能を発揮するための構成を示す機能ブロック図である。
【００７０】
携帯電話機１は、通信部４１と、音声情報取得部５０と、メモリ４４とを備える。さらに、携帯電話機１は、判定部４５ｋと、音声速度変更部４５ｌとを制御部４５に備える。
【００７１】
音声情報取得部５０は、通信部４１を介して音声情報を取得する。
メモリ４４は、音声情報取得部５０により取得された音声に基づく口調情報と、通信部４１を介して通信を行うことが可能な外部端末に関する情報（属性情報）とを登録可能なアドレス帳を記憶する。
【００７２】
判定部４５ｋは、通信部４１により通信を行っている場合に通信の相手方となる外部端末に関する情報と、アドレス帳に登録された外部端末に関する情報（属性情報）とが一致するか否かを判定する。外部端末に関する情報としては、例えば、外部端末の電話番号の情報である。したがって、判定部４５ｋは、携帯電話機１が外部端末から着信した場合、外部端末の電話番号と、アドレス帳に登録された電話番号とが一致するか否か判定する。
【００７３】
音声速度変更部４５ｌは、判定部４５ｋにより、通信の相手方となる外部端末に関する情報と、アドレス帳に登録された外部端末に関する情報とが一致する場合に、口調情報に基づいて、音声情報取得部５０により取得される音声の速度を変更する。口調情報としては、例えば、通話相手の話す速さ（速すぎ、速い、普通、遅い等）、通話相手の声の聞きやすさ（こもり気味、普通、甲高い）等の情報である。したがって、音声速度変更部４５ｌは、例えば、口調情報として「速い」が設定されている場合、通話相手の音声情報に対して所定の処理を行なうことにより、通話相手の話す速さを遅くして、ユーザの聞き取りやすい速さに変更している。
【００７４】
したがって、携帯電話機１は、アドレス帳に登録された口調情報に基づいて、通話相手の話す速さを、ユーザが聞き取りやすい速さに変更することができる。
【００７５】
次に、口調情報に基づいて通話相手が話す速さを変更する動作ついて、図７を参照しながら説明する。
図７は、第２の実施形態の携帯電話機１の動作を示す第１のフローチャートである。
【００７６】
まず、ステップＳ２０１において、制御部４５は、外部端末からの着信を検知する。
ステップＳ２０２において、制御部４５は、外部端末の電話番号情報等が含まれる発信相手情報（外部端末に関する情報）を検出する。
【００７７】
ステップＳ２０３において、メモリ制御部４５ｂは、発信相手情報に基づいて、アドレス帳に口調情報が登録されているか否か判断する。すなわち、メモリ制御部４５ｂは、メモリ４４に記憶されているアドレス帳に、発信相手情報に対応する属性情報（電話番号情報）が登録されているか検索を行う。さらに、メモリ制御部４５ｂは、発信相手情報に対応する属性情報がアドレス帳に登録されている場合、属性情報と共に口調情報がアドレス帳に登録されているか否か判断する。アドレス帳に口調情報が登録されていない場合（Ｎｏ）には、通常の通話処理を行う。アドレス帳に口調情報が登録されている場合（Ｙｅｓ）には、ステップＳ２０４に進む。
【００７８】
ステップＳ２０４において、音声速度変更部４５ｌは、口調情報に基づいて、音声情報取得部５０により取得される音声の速さ等を変更するために、音声出力設定処理が行われる。
すなわち、音声速度変更部４５ｌは、通話相手の話す速さを調整して、レシーバ２２から出力させる。
【００７９】
ステップＳ２０５において、制御部４５は、ユーザによる終話操作を検知する。
ステップＳ２０６において、音声速度変更部４５ｌは、制御部４５により終話操作を検知した場合、ステップＳ２０４の処理により行われた音声出力設定を解除する。
【００８０】
次に、通話が終了した後の口調情報を登録する動作について、図８及び図９を参照しながら説明する。
図８は、第２の実施形態の携帯電話機１の動作を示す第２のフローチャートである。図９は、第２の実施形態の携帯電話機１の動作を説明する図である。
【００８１】
まず、図８に示すように、ステップＳ３０１において、ユーザは、操作部１１を構成する終話キーを押下する（図９（ａ）参照）。
【００８２】
ステップＳ３０２において、携帯電話機１の内部処理として、制御部４５は、終話キーが押下されたことを検知する。
ステップＳ３０３において、制御部４５は、終話処理を行う。
【００８３】
ステップＳ３０４において、メモリ制御部４５ｂは、通話相手の情報がアドレス帳に登録されているか否か判断するためにアドレス帳を検索する。
【００８４】
ステップＳ３０５において、メモリ制御部４５ｂは、ステップＳ３０４の処理による検索結果に基づいて、アドレス帳に通話相手の情報（例えば、属性情報）が登録されていたか否か判断する。アドレス帳に通話相手の情報が登録されていなかった場合（Ｎｏ）には、アドレス帳に通話相手の情報を登録する等の他の処理が行われる。アドレス帳に通話相手の情報が登録されていた場合（Ｙｅｓ）には、ステップＳ３０６に進む。
【００８５】
ステップＳ３０６において、メモリ制御部４５ｂは、アドレス帳に口調情報が登録されているか否か判断する。アドレス帳に口調情報が登録されていない場合（Ｎｏ）には、ステップＳ３０７に進む。アドレス帳に口調情報が登録されている場合（Ｙｅｓ）には、サンプリング処理が行われる。サンプリング処理は、口調情報を再設定する処理である。口調情報を再設定する場合、制御部４５は、口調情報を自動的に設定してもよい。
【００８６】
ステップＳ３０７において、表示制御部４５ｄは、口調情報をアドレス帳に登録するためのウィザードを表示部２１に表示させる。
【００８７】
ステップＳ３０８において、ユーザは、ステップＳ３０７の処理に対して応答する処理を行う。すなわち、ユーザは、口調情報を設定する。ステップＳ３０８の処理は、例えば、図９（ｂ）から図９（ｄ）に示すような処理である。すなわち、図９（ｂ）に示す処理は、通話相手の話す速さが「速すぎ」、「速い」、「普通」、「遅い」のいずれであったかをユーザが選択する処理である。また、図９（ｂ）に示す処理は、通話相手の声が「こもり気味」、「普通」、「甲高い」のいずれであったかをユーザが選択する処理である。さらに、図９（ｃ）に示す処理は、レシーバから出力される音声から、通話相手が居る環境の騒音等（ノイズ）を除去することが「必要」、「不要」、「状況次第」のいずれであるのかユーザが選択する処理である。
【００８８】
ステップＳ３０９において、ユーザは、ウィザードに対して応答する処理を終了するか否か判断する。
ステップＳ３１０において、制御部４５は、ステップＳ３０８の処理が行われたことを検知する。
【００８９】
ステップＳ３１１において、メモリ制御部４５ｂは、ステップＳ３０８の処理によるウィザード応答をアドレス帳に登録する。すなわち、メモリ制御部４５ｂは、口調情報をアドレス帳に登録する。
【００９０】
ステップＳ３１２において、制御部４５は、ユーザが全ての設問に応答したか否かを判断する。すなわち、制御部４５は、ユーザが全てのウィザードに応答したか否かを判断する。ユーザが全ての設問に応答している場合（Ｙｅｓ）には、ステップＳ３１３に進む。ユーザが全ての設問に応答していない場合（Ｎｏ）には、ステップＳ３１４に進む。
【００９１】
ステップＳ３１３において、表示制御部４５ｄは、メモリ制御部４５ｂにより口調情報をアドレス帳に登録したことを示す設問完了メッセージを表示部２１に表示させる（図９（ｅ）参照）。
【００９２】
ステップＳ３１４において、表示制御部４５ｄは、次のウィザードを表示部２１に表示させる。すなわち、表示制御部４５ｄは、ユーザが解答していない設問を表示部２１に表示させる。
【００９３】
なお、上記の第１及び第２の実施形態では、電子機器の一例として携帯電話機１について説明したが、本発明はこれに限定されることはない。すなわち、電子機器は、例えば、固定電話機、ＰＨＳ（Ｐｅｒｓｏｎａｌ  Ｈａｎｄｙ  ｐｈｏｎｅ  Ｓｙｓｔｅｍ）等であってもよい。
【符号の説明】
【００９４】
１  携帯電話機（電子機器）
２１  表示部（報知部）
４１  通信部
４４  メモリ（記憶部）
４５  制御部
４５ａ  音声処理部
４５ｂ  メモリ制御部
４５ｃ  声紋情報判定部（音声情報判定部）
４５ｄ  表示制御部（報知制御部）
４５ｋ  判定部
４５ｌ  音声速度変更部
５０  音声情報取得部
【図１】
2011049910.tif 000003
【図２】
2011049910.tif 000004
【図３】
2011049910.tif 000005
【図４】
2011049910.tif 000006
【図５】
2011049910.tif 000007
【図６】
2011049910.tif 000008
【図７】
2011049910.tif 000009
【図８】
2011049910.tif 000010
【図９】
2011049910.tif 000011